(57)【要約】【課題】水揚げ対象となる二種の個体を分離した状態で捕獲し、他の個体を海中に逃す。【解決手段】筒状外網（７）内の前部には所定サイズ以上の個体を捕獲すると共に所定サイズ未満の個体を通過させる第一捕獲網（２１）を配設し、筒状外網内の後部には第一捕獲網を通過した個体のうち所望の種類の個体と所望の種類の個体よりも小さな個体とを通過させると共に当該所望の種類の個体よりも大きな個体を通過させない入口分別網（２３）を備えた第二捕獲網（２５）を配設し、第二捕獲網は該第二捕獲網内に入った個体のうち所望の種類の個体を捕獲すると共に所望の種類の個体よりも小さな個体を海中に逃し、筒状外網内の後部には第二捕獲網の入口分別網を通過しなかった個体を海中に逃す逃し通路（２７）を配設し、筒状外網内には第一捕獲網を通過した個体を第二捕獲網の入口分別網に誘導する誘導網（２９）を配設する。【選択図】図３
2005110633.tif 000002
【特許請求の範囲】
【請求項１】
前端を開口した筒状外網（７）内における前部には所定サイズ以上の個体（１３）を捕獲すると共に該所定サイズ未満の個体（１５）（１７）（１９）を通過させるに適した目合の第一捕獲網（２１）を該筒状外網の開口全面を塞ぐように配設し、該筒状外網内における後部には第一捕獲網を通過した個体のうち所望の種類の個体（１７）と当該所望の種類の個体よりも小さな個体（１９）とを通過させると共に当該所望の種類の個体よりも大きな個体（１５）を通過させないような目合の入口分別網（２３）を備えた第二捕獲網（２５）を配設し、該第二捕獲網は該第二捕獲網内に入った個体（１７）（１９）のうち当該所望の種類の個体（１７）を捕獲すると共に当該所望の種類の個体よりも小さな個体（１９）を海中に逃すに適した目合を有し、該筒状外網内における後部には第二捕獲網の入口分別網を通過しなかった個体（１５）を海中に逃すための逃し通路（２７）を配設し、更に該筒状外網内には第一捕獲網を通過した個体を第二捕獲網の入口分別網に誘導するための誘導網（２９）を配設したことを特徴とする曳網漁法における魚種分別網。
【請求項２】
前記第二捕獲網（２５）の入口分別網（２３）を魚種分別網の進行方向に対し前記逃し通路側が後方になるように傾斜させることにより、該入口分別網を通過しなかった個体を該逃し通路方向に案内するようにしたことを特徴とする請求項１に記載の曳網漁法における魚種分別網。
【請求項３】
前記第二捕獲網（２５）の入口分別網（２３）と逃し通路（２７）との間には該入口分別網を通過しなかった前記所望の種類の個体（１７）を該入口分別網に戻すための戻し網（３１）を配設したことを特徴とする請求項１又は２に記載の曳網漁法における魚種分別網。
【請求項４】
前記逃し通路（２７）を前記第二捕獲網（２５）の上方に配設し、該第二捕獲網の入口分別網（２３）の上部外側近傍には浮力付与手段（３３）を配設したことを特徴とする請求項１〜３のいずれかに記載の曳網漁法における魚種分別網。
【発明の詳細な説明】
【技術分野】
【０００１】
本発明は、曳網漁法における魚種分別網に関するものであり、特に、水揚げ対象となる所定サイズ以上の個体と該所定サイズよりも小さな水揚げ対象となる所望の種類の個体とを分離した状態で各別に捕獲し、該所定サイズよりも小さく且つ所望の種類以外の個体を捕獲することなく海中にそのまま逃すようにした曳網漁法における魚種分別網に係るものである。
【背景技術】
【０００２】
曳網漁法における曳網としては、袋網と該袋網に連接した左右一対の袖網とを備えてなるものが従来より使用されている。
【０００３】
曳網は、一般に、左右一対の袖網間にビームを取り付け又は各袖網にオッターボードを取り付けることにより、網口を開口させた状態で機船により曳かせるようにしている。
【０００４】
このような従来の曳網を用いた場合には、その目合（網目の大きさ）により定まる一定サイズ以上の個体は、水揚げ対象となるか否かに拘らず、すべて混獲される。従って、混獲された個体は船上にて手作業で選別され、水揚げ対象とならない個体は海上投棄される。
【０００５】
特表２００３−５１２８４７号公報は、漁網における各方形状開口部の４辺にそれぞれ細い管体を回転自在に取り付けることにより、魚をサイズにより選別する際に漁網の開口部を通過する魚の損傷を防止するようにした漁網を開示している。
【特許文献１】特表２００３−５１２８４７号公報
【発明の開示】
【発明が解決しようとする課題】
【０００６】
しかるに、上記従来の曳網を用いて混獲された個体を水揚げ対象になるものと水揚げ対象にならないものとを船上にて選別し、水揚げ対象とならない個体を海上投棄することは手間のかかる作業であり、人件費の増大を招来することになる。また、水揚げ対象となる漁獲物をその種類により選別する作業も同様に面倒である。更に、海上投棄された魚種の生存率は、船上での作業状態ないし作業時間に依存するものであり、海上投棄された魚種の生存率の低下は、漁業資源の節約の面で問題を生じさせることになる。
【０００７】
なお、特表２００３−５１２８４７号公報に示す漁網は、魚をサイズにより選別する際に漁網の開口部を通過する魚の損傷を防止するようにしたものであり、漁網の目合により定まる一定サイズ以上の個体は、水揚げ対象となるか否かに拘らず、すべて混獲されるという点において、上記従来の曳網と異なるものではない。
【０００８】
本発明は、上記従来の技術における上述の如き問題を解決しようとしてなされたものである。即ち、本発明は、水揚げ対象となる所定サイズ以上の個体と該所定サイズよりも小さな水揚げ対象となる所望の種類の個体とを分離した状態で各別に捕獲し、該所定サイズよりも小さく且つ所望の種類以外の個体を捕獲することなく海中にそのまま逃すようにした曳網漁法における魚種分別網を提供しようとしてなされたものである。
【課題を解決するための手段】
【０００９】
上記課題を解決するために、本発明は、下記の曳網漁法における魚種分別網を提供する。
【００１０】
（１）前端を開口した筒状外網内における前部には所定サイズ以上の個体を捕獲すると共に該所定サイズ未満の個体を通過させるに適した目合の第一捕獲網を該筒状外網の開口全面を塞ぐように配設し、該筒状外網内における後部には第一捕獲網を通過した個体のうち所望の種類の個体と当該所望の種類の個体よりも小さな個体とを通過させると共に当該所望の種類の個体よりも大きな個体を通過させないような目合の入口分別網を備えた第二捕獲網を配設し、該第二捕獲網は該第二捕獲網内に入った個体のうち当該所望の種類の個体を捕獲すると共に当該所望の種類の個体よりも小さな個体を海中に逃すに適した目合を有し、該筒状外網内における後部には第二捕獲網の入口分別網を通過しなかった個体を海中に逃すための逃し通路を配設し、更に該筒状外網内には第一捕獲網を通過した個体を第二捕獲網の入口分別網に誘導するための誘導網を配設したことを特徴とする曳網漁法における魚種分別網（請求項１）。
【００１１】
（２）前記第二捕獲網の入口分別網を魚種分別網の進行方向に対し前記逃し通路側が後方になるように傾斜させることにより、該入口分別網を通過しなかった個体を該逃し通路方向に案内するようになす（請求項２）。
【００１２】
（３）前記第二捕獲網の入口分別網と逃し通路との間には該入口分別網を通過しなかった前記所望の種類の個体を該入口分別網に戻すための戻し網を配設する（請求項３）。
【００１３】
（４）前記逃し通路を前記第二捕獲網の上方に配設し、該第二捕獲網の入口分別網の上部外側近傍には浮力付与手段を配設する（請求項４）。
【００１４】
［作用］
［請求項１の発明］
魚種分別網を機船により曳かせたときには、魚種分別網は筒状外網の開口前端を前にして海中を進む。しかるときは、魚類等の個体は開口前端より筒状外網内に入り、第一捕獲網に至る。所定サイズ以上の個体は第一捕獲網により捕獲されるが、該所定サイズ未満の個体は第一捕獲網を通過する。第一捕獲網を通過した個体は誘導網に誘導されて第二捕獲網の入口分別網に達する。第一捕獲網を通過した個体のうち所望の種類の個体と当該所望の種類の個体よりも小さな個体は第二捕獲網の入口分別網を通過して該第二捕獲網内に入る。第二捕獲網内に入った個体のうち当該所望の種類の個体は該第二捕獲網により捕獲されるが、当該所望の種類の個体よりも小さな個体は第二捕獲網を通過して海中に逃げる。当該所望の種類の個体よりも大きな個体は、第二捕獲網の入口分別網を通過することなく、逃し通路を通って海中に逃げる。
【００１５】
[請求項２の発明]
第一捕獲網を通過した個体のうち、前記所望の種類の個体よりも大きな個体は、第二捕獲網の入口分別網を通過することなく、傾斜した入口分別網に沿って逃し通路方向に円滑に進み、該逃し通路を通って海中に逃げる。
【００１６】
［請求項３の発明］
前記所望の種類の個体の一部は、入口分別網を通過することなく、逃し通路方向に進むこともあるが、このような個体は第二捕獲網の入口分別網と逃し通路との間に配設された戻し網により入口分別網に戻され、該入口分別網を通過して第二捕獲網内に入る。
【００１７】
［請求項４の発明］
浮力付与手段は、第二捕獲網の入口分別網近傍を上方に引き上げることにより、該第二捕獲網を好ましい立体形状に保持する。
【発明の効果】
【００１８】
［請求項１の発明］
請求項１の発明によれば、水揚げ対象となる所定サイズ以上の個体と該所定サイズよりも小さな水揚げ対象となる所望の種類の個体とを分離した状態で各別に捕獲し、該所定サイズよりも小さく且つ所望の種類以外の水揚げ対象とならない個体を捕獲することなく海中にそのまま逃すことができる。換言すれば、水揚げ対象となる個体は所定サイズ以上の個体と所望の種類の個体とに選別された状態で各別に捕獲され、水揚げ対象とならない個体は捕獲されることなく海中に逃される。従って、水揚げ対象となる個体と水揚げ対象とならない個体とを選別する作業は不要であり、水揚げ対象となる個体についても所定サイズ以上の個体と所望の種類の個体とを選別するは不要である。その結果、従来選別作業に要していた時間と人件費が節約されると共に、水揚げ対象とならない個体は人手を加えることなく無傷の状態で海中に逃されるため、このような水揚げ対象とならない個体は将来の漁業資源としてそのまま利用することができる。
【００１９】
[請求項２の発明]
第二捕獲網の入口分別網を魚種分別網の進行方向に対し前記逃し通路側が後方になるように傾斜させたため、第一捕獲網を通過した個体のうち、前記所望の種類の個体よりも大きな水揚げ対象とならない個体は、傾斜した入口分別網に沿って逃し通路方向により円滑に進み、該逃し通路を通って海中に逃げる。従って、このような水揚げ対象とならない個体は損傷することなく海中に逃れる。
【００２０】
［請求項３の発明］
前記所望の種類の個体が、入口分別網を通過することなく、逃し通路方向に進んだときでも、このような個体は第二捕獲網の入口分別網と逃し通路との間に配設された戻し網により入口分別網に戻され、該入口分別網を通過して第二捕獲網内に入る。即ち、筒状外網内に入った所望の種類の個体は無駄なく捕獲される。
【００２１】
［請求項４の発明］
浮力付与手段は、第二捕獲網の入口分別網近傍を上方に引き上げることにより、該第二捕獲網を好ましい立体形状に保持する。従って、第二捕獲網とその入口分別網は常に所定の働きをなす。
【発明を実施するための最良の形態】
【００２２】
図中符号１に示すものは曳網漁法における魚種分別網である。図１に示すように、魚種分別網１は曳索３を介して機船５により曳かれる。魚種分別網１は、一例として、着底魚種分別網とする。
【００２３】
魚種分別網１は筒状外網７を備えている。筒状外網７は、該筒状外網７を開口状態に維持するために、前端に水平ビーム９と左右一対の垂直杆１１、１１とを備えており、該水平ビーム９と垂直杆１１、１１とを介して曳索３に連結されている。
【００２４】
筒状外網７は、一例として、図３に示すように、後述の第一捕獲網（２１）よりも前部における上部７ａは目合１１節の網、該第一捕獲網（２１）よりも前部における下部７ｂは目合９節の網、筒状網体７の残部７ｃは目合１２節の網により形成される。
【００２５】
筒状外網７内における前部には所定サイズ以上の個体１３を捕獲すると共に該所定サイズ未満の個体１５、１７、１９を通過させるに適した目合の第一捕獲網２１を該筒状外網７の開口全面を塞ぐように配設する。
【００２６】
所定サイズとは、一例として、体長１２ｃｍとする。所定サイズ以上の個体１３とは、一例として、体長１２ｃｍ以上のメイタガレイとする。
【００２７】
所定サイズ未満の個体１５、１７、１９は、例えば、体長１２ｃｍ未満のメイタガレイ１５、小型エビ１７、稚魚１９とする。
【００２８】
所定サイズ以上の個体１３を捕獲すると共に該所定サイズ未満の個体１５、１７、１９を通過させるに適した目合とは、一例として目合５節とする。
【００２９】
筒状外網７内における後部には第一捕獲網２１を通過した個体１５、１７、１９のうち所望の種類の個体（例えば小型エビ）１７と当該所望の種類の個体１７よりも小さな個体（例えば稚魚）１９とを通過させると共に当該所望の種類の個体１７よりも大きな個体（例えば体長１２ｃｍ未満のメイタガレイ）１５を通過させないような目合の入口分別網２３を備えた第二捕獲網２５を配設する。
【００３０】
入口分別網２３の目合は、一例として、７節とする。
【００３１】
第二捕獲網２５は該第二捕獲網２５内に入った個体１７、１９のうち当該所望の種類の個体（例えば小型エビ）１７を捕獲すると共に当該所望の種類の個体１７よりも小さな個体（例えば稚魚）１９を海中に逃すに適した目合を有する。第二捕獲網２５の目合は、一例として、１２節とする。
【００３２】
筒状外網７内における後部には第二捕獲網２５の入口分別網２３を通過しなかった個体１５を海中に逃すための逃し通路２７を配設する。逃し通路２７の後端２７ａは常時開口している。
【００３３】
更に、筒状外網７内には第一捕獲網２１を通過した個体１５、１７、１９を第二捕獲網２５の入口分別網２３に誘導するための誘導網２９を配設する。
【００３４】
誘導網２９は、好ましくは、一縁２９ａを筒状外網７の内面に固定し、他縁２９ｂを第二捕獲網２５の入口分別網２３の近傍に臨ませた状態で、魚種分別網１の進行方向に対し傾斜させて配設する。
【００３５】
誘導網２９の目合は、一例として、１２節とする。
【００３６】
第二捕獲網２５の入口分別網２３は、魚種分別網１の進行方向に対し直角（図３の鎖線参照）に配設してもよいが、好ましくは、魚種分別網１の進行方向に対し入口分別網２３の逃し通路側が後方になるように傾斜させることにより、該入口分別網２３を通過しなかった個体１５を逃し通路２７方向に案内するようになす（図３の実線参照）。即ち、入口分別網２３と魚種分別網１の進行方向との間の角度αは、例えば約７０〜約９０度、好ましくは約８０度とする。
【００３７】
第二捕獲網２５の入口分別網２３と逃し通路２７との間には該入口分別網２３を通過しなかった所望の種類の個体１７を該入口分別網２３に戻すための戻し網３１を配設する。
【００３８】
戻し網３１の目合は、一例として、１２節とする。
【００３９】
図示の事例においては、逃し通路２７を第二捕獲網２５の上方に配設し、該第二捕獲網２５の入口分別網２３の上部外側近傍には浮力付与手段３３を配設している。
【００４０】
浮力付与手段３３は、一例として図４に示すように、合成樹脂等の軽量体を中空截頭半円錐状に形成してなるカイトとし、魚種分別網１の進行方向に対し大径端３３ａが前になり小径端３３ｂが後になるように第二捕獲網２５の入口分別網２３の上部外側近傍に固定する。図４に示す浮力付与手段３３をこのように配設したときには、好ましい揚力が得られる。
【図面の簡単な説明】
【００４１】
【図１】本発明による魚種分別網と曳索と機船とを概略的に示す説明図である。
【図２】同上魚種分別網の斜視図である。
【図３】同上魚種分別網の断面図である。
【図４】浮力付与手段の斜視図である。
【図５】同上浮力付与手段の正面図である。
【符号の説明】
【００４２】
１  魚種分別網
３  曳索
５  機船
７  筒状外網
７ａ  前部における上部
７ｂ  前部における下部
７ｃ  残部
９  水平ビーム
１１  垂直杆
１３  個体
１５  個体
１７  個体
１９  個体
２１  第一捕獲網
２３  入口分別網
２５  第二捕獲網
２７  逃し通路
２７ａ  後端
２９  誘導網
２９ａ  一縁
２９ｂ  他縁
３１  戻し網
３３  浮力付与手段
３３ａ  大径端
３３ｂ  小径端
【図１】
2005110633.tif 000003
【図２】
2005110633.tif 000004
【図３】
2005110633.tif 000005
【図４】
2005110633.tif 000006
【図５】
2005110633.tif 000007